(57)【要約】      （修正有）【課題】取扱いが簡単で、精度良く測定でき、安価な眼鏡心出しデータ測定装置を提供する。【解決手段】測定方向で長さを測定するための第１測定目盛１８と、第１測定目盛１８が装置１０の照準方向ＤＶにおいて眼鏡２２の左側眼鏡レンズ又は右側眼鏡レンズに照準合せするための第１左側目盛区域又は第１右側目盛区域と、左側照準マーク区域と右側照準マーク区域とを備えた照準器２０を含み、左側又は右側照準マーク区域が、照準方向ＤＶにおいて第１左側又は第１右側目盛区域からそれぞれ離間しており、かつ照準方向ＤＶと平行に投影すると第１左側もしくは第１右側目盛区域と少なくとも部分的に重なる。【選択図】図１
0003143738.tif 000002
【実用新案登録請求の範囲】
【請求項１】
眼鏡（２２）の心出しデータを算定するための装置（１０）であって、
装置（１０）の少なくとも１つの測定方向（ＤＭ）で長さを測定するための少なくとも１つの第１測定目盛（１８）を含み、第１測定目盛（１８）が装置（１０）の少なくとも１つの照準方向（ＤＶ）において眼鏡（２２）の左側眼鏡レンズ（３８）もしくは右側眼鏡レンズ（４４）に照準合せするための第１左側目盛区域（３６）と第１右側目盛区域（４２）とを含み、
少なくとも１つの左側照準マーク区域と１つの右側照準マーク区域とを備えた照準器（２０）を含み、左側もしくは右側照準マーク区域が、照準方向（ＤＶ）において第１左側もしくは第１右側目盛区域（３６、４２）からそれぞれ離間しており、かつ照準方向（ＤＶ）と平行に投影すると第１左側もしくは第１右側目盛区域（３６、４２）と少なくとも部分的に重なるようになった装置。
【請求項２】
照準器（２０）が第２左側目盛区域（４８）および第２右側目盛区域（５０）を備えた第２測定目盛を含み、第２左側もしくは第２右側目盛区域（４８、５０）が左側もしくは右側照準マーク区域を含む、請求項１に記載の装置。
【請求項３】
装置（１０）が可視光に対して少なくとも部分的に透明な装置本体（１２）を含み、この装置本体が少なくとも断続的に実質平らな第１面（１４）と少なくとも断続的に実質平らな第２面（１６）とを備えており、第１測定目盛（１８）が第１面（１４）に配置され、右側および左側照準マーク区域が第２面（１６）に配置されている、請求項１または２に記載の装置。
【請求項４】
第１面（１４）が少なくとも断続的に第２面（１６）と平行に配置されている、請求項３に記載の装置。
【請求項５】
装置本体（１２）が実質的に直方体を形成し、直方体の長さ（ｌ）が測定方向（ＤＭ）に延び、直方体の幅（ｂ）が第１面（１４）と第２面（１６）との間の距離を確定する、請求項４に記載の装置。
【請求項６】
第１および第２面（１４、１６）の相互距離が、２ｍｍ〜５０ｍｍの範囲内、好ましくは５ｍｍ〜２０ｍｍの範囲内、さらに好ましくは概ね１０ｍｍである、請求項３〜５のいずれか一項に記載の装置。
【請求項７】
第１測定目盛および／または第２測定目盛がミリメートル目盛を含む、請求項１〜６のいずれか一項に記載の装置。
【請求項８】
装置が眼鏡当接面を含み、眼鏡（２２）の鼻切欠き部を心出し当接させるための鼻突起（２４）がこの眼鏡当接面に形成されている、請求項１〜７のいずれか一項に記載の装置。
【請求項９】
眼鏡当接面が当接法線方向（ＤＮ）を有し、鼻突起（２４）が鼻セグメント（２６）によって形成され、この鼻セグメントが当接法線方向（ＤＮ）に対して垂直な台形状または円切片状の横断面を有する、請求項８記載の装置。
【請求項１０】
装置が対称平面（ＥＳ）を有し、第１左側目盛区域（３６）および左側照準マーク区域が対称平面（ＥＳ）に関して第１右側目盛区域（４２）もしくは右側照準マーク区域に対して対称に構成されており、および／または鼻突起（２４）若しくは鼻セグメント（２６）が対称平面（ＥＳ）に対して対称である、請求項１〜９のいずれか一項に記載の装置。
【請求項１１】
装置が、少なくとも１つの脚（５２）と少なくとも１つの基部（５４）とを備えた三脚を含む、請求項１〜１１のいずれか一項に記載の装置。
【考案の詳細な説明】
【技術分野】
【０００１】
本考案は、眼鏡の心出しデータを算定するための、特に眼鏡の眼鏡レンズ心出し点の距離および／または位置を算定するための装置に関する。
【背景技術】
【０００２】
眼鏡の心出し点を測定するためにふつう、患者の目の瞳孔間距離を測定するものと同じ装置が使用される。このような装置は特に瞳孔計、ビデオ心出しシステム、従来のＰＤ定規である。ＰＤ定規の改良品はノギスとして構成しておくことができる。しかしながら特に、曲げられたフレームまたは大きなフレーム板角度を有する眼鏡の心出し点を計測するには公知のＰＤ定規は限定的にのみ適している。眼鏡レンズの心出し点とＰＤ定規との距離のゆえに、心出し点に照準合せするとき正面照準方向からの目視方向の偏差が読取の不正確さを生じる。このいわゆる視差誤差は、各心出し点とＰＤ定規との距離が大きければ大きいほど一層大きい。特殊なビデオシステムにおいてこのような視差誤差はテレセントリック光路によって回避することができる。しかしながらこのようなビデオシステムは大抵きわめて複雑で操作に手間を要し高価である。
【考案の開示】
【考案が解決しようとする課題】
【０００３】
本考案の課題は、簡単な取扱いにおいて眼鏡心出しデータの測定向上を可能とする安価な装置を提供することである。
【課題を解決するための手段】
【０００４】
この課題は、請求項１に明示した特徴を有する装置で解決される。好ましい実施形態は従属請求項の対象である。
【０００５】
従って本考案が提供するのは、眼鏡の心出しデータを算定するための装置であって、
装置の少なくとも１つの測定方向で長さを測定するための少なくとも１つの第１測定目盛を含み、第１測定目盛が装置の少なくとも１つの照準方向において眼鏡の左側眼鏡レンズもしくは右側眼鏡レンズに照準合せするための第１左側目盛区域と第１右側目盛区域とを含み、
少なくとも１つの左側照準マーク区域と１つの右側照準マーク区域とを備えた照準器を含み、左側もしくは右側照準マーク区域が、照準方向において第１左側もしくは第１右側目盛区域からそれぞれ離間しており、かつ照準方向と平行に投影すると第１左側もしくは第１右側目盛区域と少なくとも部分的に重なる。
【０００６】
従って、例えば眼鏡の眼鏡レンズの心出し点の照準合せのとき装置の測定目盛から心出しデータを読取る間に直接、測定目盛および照準器を介して、視差のない測定にとって必要な照準方向が守られるか否かは確認することができる。とりわけ測定目盛と照準器がマークを有し、所要の照準方向が守られるとき、マークの間に相関を正確に認めることができる。このようなマークとして例えば照準十字、照準線、照準輪、照準点またはその他の好適なマークを使用することができよう。特に好ましくは、照準器用に第１目盛区域のマークに類似したスケーリングマークが使用される。測定目盛に対して相対的に照準器の固定位置によって装置の照準方向は正確に確定されており、利用者にとって心出しデータの読取り中に直接点検可能である。そのことから眼鏡心出しデータの算定が簡素になりかつ改善される。本考案に係る装置は特に、眼鏡、特に例えばスポーツ用眼鏡等の大きなフレーム板角度を有する眼鏡の個々の心出し点の無視差計測を改善する。
【０００７】
１方向、特に測定方向で定規のようなマークを有する目盛を測定目盛として設けておくことができる。ここでは、測定目盛は特に多数のとりわけ等間隔の平行線を含むことができる。測定目盛は２つの異なる方向で長さを測定するように設計しておくこともできる。例えば測定目盛は、測定方向でのスケーリングの他に、これに垂直な方向でスケーリングを有することもできよう。特に測定目盛は線格子を含むことができよう。好ましい実施形態において左側目盛区域と右側目盛区域は測定方向で相互に離間している。代替的実施形態において目盛区域は一貫したスケーリングを形成することもでき、つまり互いに直接隣り合うことができる。とりわけ、前記少なくとも１つの測定方向は前記少なくとも１つの照準方向に対して実質垂直である。
【０００８】
好ましくは、照準器は第２左側目盛区域および第２右側目盛区域を備えた第２測定目盛を含み、第２左側もしくは第２右側目盛区域は左側もしくは右側照準マーク区域を含む。
【０００９】
好ましい実施形態において、装置は可視光に対して少なくとも部分的に透明な装置本体を含み、この装置本体は少なくとも断続的に実質平らな第１面と少なくとも断続的に実質平らな第２面とを備えており、第１測定目盛は第１面に配置され、右側および左側照準マーク区域は第２面に配置されている。こうして特に、好ましくは第２左側および第２右側目盛区域は第２面に配置されている。第１面は好ましくは少なくとも断続的に第２面と平行に配置されている。
【００１０】
好ましくは、装置本体が実質的に直方体を形成し、直方体の長さが測定方向に延び、直方体の幅が第１面と第２面との間の距離を確定する。好ましくは、照準方向における第１測定目盛と照準器との距離は２ｍｍ〜５０ｍｍ、好ましくは５ｍｍ〜２０ｍｍの範囲内、より好ましくは概ね１０ｍｍである。特に、第１、第２面の相互距離は２ｍｍ〜５０ｍｍ、好ましくは５ｍｍ〜２０ｍｍの範囲内、より好ましくは概ね１０ｍｍである。この距離は好ましくは直方体の幅に一致する。好ましくは、装置本体の長さ、特に直方体の長さは８０ｍｍ〜１５０ｍｍであり、より好ましくは１００ｍｍ〜１２０ｍｍである。
【００１１】
好ましい実施形態において、第１測定目盛および／または第２測定目盛はミリメートル目盛を含む。
【００１２】
好ましくは、装置が眼鏡当接面を含み、眼鏡の鼻切欠き部を心出し当接させるための鼻突起がこの眼鏡当接面に形成されている。眼鏡当接面は当接法線方向を有し、鼻突起は好ましくは鼻セグメントによって形成され、この鼻セグメントは当接法線方向に対して垂直に台形状または円切片状の横断面を有する。別の好ましい実施形態において、当接法線方向に垂直な鼻セグメントの横断面は別の形状を有することもできよう。特に横断面は三角形または楕円形とすることができよう。好ましい実施形態において、鼻セグメントは装置本体と一体に構成されている。鼻セグメントは好ましくは定規を眼鏡の中心軸線と一直線に並べるための心出し部材を形成する。
【００１３】
好ましくは、装置が対称平面を有し、第１左側目盛区域および／または左側照準マーク区域は対称平面に関して第１右側目盛区域もしくは右側照準マーク区域に対して対称に構成されており、および／または鼻突起は対称平面に対して対称である。
【００１４】
好ましくは、装置は、少なくとも１つの脚と少なくとも１つの基部とを備えた三脚を含む。こうして装置は卓上機器として利用することができ、測定過程中利用者が保持する必要がない。
【考案を実施するための最良の形態】
【００１５】
以下、好適な実施形態を示す添付図面を参照して本考案が例示的に説明される。
【００１６】
図１は本考案の好ましい第１実施形態による装置１０を示す。この実施形態において装置１０は直方体状装置本体１２を含む。装置本体１２は平らな第１面１４とこれに平行な第２面１６とを有する。第１面１４と第２面１６は直方体の前面もしくは裏面を形成する。以下で他の図においてなお正確に認めることができるように、例えば第１面１４の縁領域に第１測定目盛１８が形成されている。第１測定目盛１８とは反対側で第２面１６の縁領域に照準器２０が配置されている。
【００１７】
第２面１６は、少なくとも部分的に、眼鏡２２を当接させるための眼鏡当接面を形成する。この眼鏡当接面に形成されている段差が鼻突起２４を形成する。このため装置本体１２に、特に装置本体１２の裏面１６に、鼻セグメント２６が配置されている。好ましい実施形態において鼻セグメント２６は装置本体１２と一体に構成しておくことができる。眼鏡２２が装置１０の眼鏡当接面に当接すると鼻セグメント２６は眼鏡２２の鼻切欠き部に食い込む。特に、眼鏡２２の腹部もしくはブリッジおよび／または鼻パッドは眼鏡当接面の鼻突起２４、つまり眼鏡当接面の段差に配置することができる。眼鏡当接面は当接法線方向ＤＮを有する。図２に示すように、図示実施形態において鼻セグメント２６は当接法線方向ＤＮに対して垂直に台形状横断面を有する。
【００１８】
眼鏡２２が眼鏡フレーム３０を含み、そのフレーム上縁３２は装置本体１２の長手縁と平行、特に装置本体１２の上縁３４と平行に向けることができる。
【００１９】
図２に示すように、第１測定目盛１８は装置１０の少なくとも１つの照準方向ＤＶにおいて眼鏡２２の左側眼鏡レンズおよび特に左側眼鏡レンズ３８の左側心出し点４０に照準合せするための第１左側目盛区域３６を含む。さらに、第１測定目盛１８は照準方向ＤＶにおいて眼鏡２２の右側眼鏡レンズ４４および特に右側眼鏡レンズ４４の右側心出し点４６に照準合せするための第１右側目盛区域４２を含む。第１左側目盛区域３６と第１右側目盛区域４２はセンチメートルおよびミリメートル単位の目盛区分をそれぞれ有する。好ましくは、少なくとも第１または第２測定目盛はさらにスケーリング文字入れを含む。特に、第１目盛区域３６、４２は少なくとも１つの測定方向ＤＭで長さもしくは位置を測定するためのスケーリングマークを含む。こうして眼鏡２２の心出し点４０、４６の特に位置および／または距離は算定することができる。第１測定目盛および／または照準器のマークはとりわけ貼付けおよび／または印刷および／または彫込みによって第１もしくは第２面１４、１６の内部もしくは表面に好適に配置されている。
【００２０】
図示した好ましい実施形態において照準器２０は第２左側目盛区域４８と第２右側目盛区域５０とを含み、目盛区域は第１左側目盛区域３６もしくは第１右側目盛区域４２からそれぞれ図１に示す直方体幅ｂだけ離間している。好ましくは、第２左側目盛区域４８と第２右側目盛区域５０は第１左側目盛区域３６もしくは第１右側目盛区域４２と実質同様もしくは同一に構成されており、すなわちとりわけ実質的に同じ目盛の向き、広がりおよび／または区分を有する。それとともに第２目盛区域４８、５０はとりわけ第１目盛区域３６、４２と平行に配置されている。
【００２１】
図示実施形態において装置１０は対称平面ＥＳを有し、鼻セグメント２６も第１測定目盛１８および照準器２０も対称平面ＥＳに関して対称に構成されている。図示実施形態において第１測定目盛１８も照準器２０もそれぞれ２つの分離された目盛区域、つまり左側目盛区域と右側目盛区域とをそれぞれ有するのであるが、これらの目盛区域は別の好ましい実施形態において直接に隣り合い、連続した第１もしくは第２測定目盛を形成することもできる。
【００２２】
他の好ましい実施形態において照準器２０は、第１測定目盛１８と実質同一に構成される第２測定目盛の代わりに、またはそれを補足して、別のもしくは他の照準マークを有することができよう。ミリメートルスケーリングの代わりに例えば単にセンチメートルマークおよび／または０．５ｃｍマークを照準マーク区域４８、５０に設けておくことができよう。とりわけ照準器２０が含むマークは第１測定目盛のマーク、特に第１測定目盛１８のスケーリング罫と相関している。眼鏡レンズ３８、４４の照準合せ時、照準合せの方向が装置１０の照準方向ＤＶにあるとき、第１測定目盛１８および照準器２０を介して相関は正確に認識可能となる。特に、第１測定目盛のマークが照準器のマークと少なくとも部分的に一致しまたは「互い違い」となることによって、相関は認識可能となる。
【００２３】
特に単に１つの測定方向ＤＭで長さ測定もしくは位置測定を行わねばならないとき、装置は、特に測定方向ＤＭに垂直な平面にある多数の照準方向ＤＶを有することができる。これらの照準方向ＤＶが形成する照準平面はとりわけ対称平面ＥＳと平行である。特に、例えば図１に示す当接法線方向ＤＮも装置１０の照準方向として適していよう。
【００２４】
図３と図４が眼鏡２２と一緒に示す本考案の好ましい実施形態による装置１０は、左側眼鏡レンズ３８もしくは右側眼鏡レンズ４４の左側心出し点４０もしくは右側心出し点４６について測定方向ＤＭにおける心出し点位置もしくは心出し点距離の測定中である。図３が示す状況では心出し点４０、４６が正確に装置１０の照準方向ＤＶにおいて第１測定目盛１８および照準器２０を介して照準合せされる。眼鏡２２は眼鏡フレーム３０と共に装置１０の鼻突起２４の鼻切欠き部領域に配置されており、フレーム上縁３２は装置長手縁３４と平行に向けられている。図示実施形態において装置１０の正確に１つの照準方向ＤＶにおいて第１左側目盛区域３６および第２左側目盛区域４８を介して左側眼鏡レンズ３８の左側心出し点４０を照準合せすると両方の左側目盛区域３６、４８は正確に重なり合う。このことは、装置１０の照準方向ＤＶと平行な１方向において右側眼鏡レンズ４４の右側心出し点４６を照準合せするとき第１、第２右側目盛区域４２、５０にも同様にあてはまる。
【００２５】
心出し点４０、４６が装置１０の照準方向ＤＶとは別の方向を介して照準合せされる場合、図４に示すように、第１測定目盛と第２測定目盛の各目盛区域は重ならない。従って既に測定中に、眼鏡２２の測定点の照準合せが装置１０の照準方向ＤＶと正確に平行な方向で行われることは簡単に確保することができる。こうして測定中の視差誤差は回避することができる。
【００２６】
図５は本考案の他の好ましい実施形態による眼鏡の心出しデータ算定装置を示す。この実施形態において装置１０は脚５２と基部５４とを備えた三脚を含む。従って、この好ましい実施形態において装置は卓上機器として実施されている。そのことにより操作者は装置１０と眼鏡フレーム３０をもはや同時に保持する必要がない。
【００２７】
従って、本考案に係る装置は特に眼鏡の中心軸線に関して心出し点の無視差計測を改善する。無視差性はとりわけ２つの透明な定規によって心出し点を一致して固定することによって達成される。こうして眼鏡の心出し点距離の正確かつ簡単な点検が可能である。心出し点距離は眼鏡着用者の瞳孔間距離に一致しており、最適な視覚にとって重要である。
【００２８】
こうして本考案は特に、眼鏡の中心軸線に関して心出し点を視差なしに計測するための装置を提供する。このため装置は心出しして眼鏡フレームに当接され、両方の定規によって事前にマークされた眼鏡心出し点に適切に照準合せされる。次に心出し点の距離は定規で右側（ＰＤ右用）および左側（ＰＤ左用）において視差なしに読取ることができる。
【図面の簡単な説明】
【００２９】
【図１】本考案の好ましい第１実施形態による装置を被計測眼鏡と一緒に示す側面図である。
【図２】図１の実施形態の平面図である。
【図３】図１、図２の実施形態を照準方向と平行に示す正面図である。
【図４】照準方向に対して僅かに傾いた方向から見た図１〜図３の実施形態の正面図である。
【図５】本考案の好ましい第２実施形態による装置を被計測眼鏡と一緒に示す側面図である。
【符号の説明】
【００３０】
１０  装置
１２  装置本体
１４  第１面、前面
１６  第２面、裏面
１８  第１測定目盛
２０  照準器
２２  眼鏡
２４  鼻突起
２６  鼻セグメント
２８  フレーム上縁
３０  眼鏡フレーム
３２  フレーム上縁
３４  装置長手縁
３６  第１左側目盛区域
３８  左側眼鏡レンズ
４０  左側心出し点
４２  第１右側目盛区域
４４  右側眼鏡レンズ
４６  右側心出し点
４８  第２左側目盛区域
５０  第２右側目盛区域
５０  脚
５４  基部
ＤＶ  照準方向
ＤＭ  測定方向
ＤＮ  当接法線方向
ＥＳ  対称平面
Ｉ  長さ
ｂ  幅
【図１】
0003143738.tif 000003
【図２】
0003143738.tif 000004
【図３】
0003143738.tif 000005
【図４】
0003143738.tif 000006
【図５】
0003143738.tif 000007
【手続補正書】
【提出日】平成20年5月16日(2008.5.16)
【手続補正１】
【補正対象書類名】実用新案登録請求の範囲
【補正対象項目名】全文
【補正方法】変更
【補正の内容】
【実用新案登録請求の範囲】
【請求項１】
眼鏡（２２）の心出しデータを算定するための装置（１０）であって、
装置（１０）の少なくとも１つの測定方向（ＤＭ）で長さを測定するための少なくとも１つの第１測定目盛（１８）を含み、第１測定目盛（１８）が装置（１０）の少なくとも１つの照準方向（ＤＶ）において眼鏡（２２）の左側眼鏡レンズ（３８）もしくは右側眼鏡レンズ（４４）に照準合せするための、マークが設けられた第１左側目盛区域（３６）とマークが設けられた第１右側目盛区域（４２）とを含み、
少なくとも１つの左側照準マーク区域と１つの右側照準マーク区域とを備えた照準器（２０）を含み、左側照準マーク区域および右側照準マーク区域は各々照準マークを備えており、左側もしくは右側照準マーク区域が、照準方向（ＤＶ）において第１左側もしくは第１右側目盛区域（３６、４２）からそれぞれ離間しており、かつ照準方向（ＤＶ）と平行に投影すると第１左側もしくは第１右側目盛区域（３６、４２）と少なくとも部分的に重なるようになっており、所要の照準方向が守られるときに照準器の照準マークと第１測定目盛のマークとの間に相関を正確に認めることができるように構成されている装置。
【請求項２】
照準器（２０）が第２左側目盛区域（４８）および第２右側目盛区域（５０）を備えた第２測定目盛を含み、第２左側もしくは第２右側目盛区域（４８、５０）が左側もしくは右側照準マーク区域を含む、請求項１に記載の装置。
【請求項３】
装置（１０）が可視光に対して少なくとも部分的に透明な装置本体（１２）を含み、この装置本体が少なくとも断続的に実質平らな第１面（１４）と少なくとも断続的に実質平らな第２面（１６）とを備えており、第１測定目盛（１８）が第１面（１４）に配置され、右側および左側照準マーク区域が第２面（１６）に配置されている、請求項１または２に記載の装置。
【請求項４】
第１面（１４）が少なくとも断続的に第２面（１６）と平行に配置されている、請求項３に記載の装置。
【請求項５】
装置本体（１２）が実質的に直方体を形成し、直方体の長さ（ｌ）が測定方向（ＤＭ）に延び、直方体の幅（ｂ）が第１面（１４）と第２面（１６）との間の距離を確定する、請求項４に記載の装置。
【請求項６】
第１および第２面（１４、１６）の相互距離が、２ｍｍ〜５０ｍｍの範囲内、好ましくは５ｍｍ〜２０ｍｍの範囲内、さらに好ましくは概ね１０ｍｍである、請求項３〜５のいずれか一項に記載の装置。
【請求項７】
第１測定目盛がミリメートル目盛を含む、請求項１〜６のいずれか一項に記載の装置。
【請求項８】
照準器（２０）が第２左側目盛区域（４８）および第２右側目盛区域（５０）を備えた第２測定目盛を含み、第２左側もしくは第２右側目盛区域（４８、５０）が左側もしくは右側照準マーク区域を含み、第２測定目盛がミリメートル目盛りを含む、請求項１〜７のいずれか一項に記載の装置。
【請求項９】
装置が眼鏡当接面を含み、眼鏡（２２）の鼻切欠き部を心出し当接させるための鼻突起（２４）がこの眼鏡当接面に形成されている、請求項１〜８のいずれか一項に記載の装置。
【請求項１０】
眼鏡当接面が当接法線方向（ＤＮ）を有し、鼻突起（２４）が鼻セグメント（２６）によって形成され、この鼻セグメントが当接法線方向（ＤＮ）に対して垂直な台形状または円切片状の横断面を有する、請求項９に記載の装置。
【請求項１１】
装置が対称平面（ＥＳ）を有し、第１左側目盛区域（３６）および左側照準マーク区域が対称平面（ＥＳ）に関して第１右側目盛区域（４２）もしくは右側照準マーク区域に対して対称に構成されており、および／または鼻突起（２４）若しくは鼻セグメント（２６）が対称平面（ＥＳ）に対して対称である、請求項１〜１０のいずれか一項に記載の装置。
【請求項１２】
装置が、少なくとも１つの脚（５２）と少なくとも１つの基部（５４）とを備えた三脚を含む、請求項１〜１１のいずれか一項に記載の装置。